(57)【要約】      （修正有）【課題】測定用の超小型マイクを外耳道入口の所定の位置に簡単かつ確実に設置できるイヤチップマイクおよびそのアタッチメントを提供する。【解決手段】挿入端をドーム状に隆起形成した中空ドーム形状のイヤチップ１と、イヤチップ１中空ドーム内側に取り付けた超小型マイク２と、超小型マイク２に接続したリード線３でイヤチップマイクを構成し、イヤチップ１と同じ中空ドーム形状のコネクタ４と、コネクタ４に結合するスティック５でアタッチメントを構成する。【選択図】図１
0003155238.tif 000002
【実用新案登録請求の範囲】
【請求項１】
挿入端をドーム状に隆起形成した中空ドーム形状のイヤチップの内側に超小型マイクを取り付けたことを特徴とするイヤチップマイク。
【請求項２】
前記超小型マイクが収音面をドーム内に向けて取り付けたものであることを特徴とする請求項1記載のイヤチップマイク。
【請求項３】
前記イヤチップが中空ドームの天井部を開口するベント付きイヤチップであることを特徴とする請求項1記載のイヤチップマイク。
【請求項４】
前記イヤチップがシリコンゴムで作成されたものであることを特徴とする請求項1記載のイヤチップマイク。
【請求項５】
請求項１〜４記載のイヤチップマイクの装着に用いるアタッチメントであって、
棒状のスティックと中空ドーム形状のコネクタで構成し、
スティックの先端にコネクタを一体に取り付け、
このコネクタをイヤチップマイクの内側に差し込んで遊嵌保持し、
遊嵌保持したイヤチップマイクを耳孔内に挿入した後、
スティックを引き抜いてイヤチップマイクとアタッチメントを分離し、
これよりイヤチップマイクを耳孔に装着することを特徴とするアタッチメント。
【請求項６】
前記コネクタがシリコンゴムで作成されたものであることを特徴とする請求項５記載のアタッチメント。
【考案の詳細な説明】
【技術分野】
【０００１】
本考案は、イヤチップ（耳栓）に超小型マイクを取り付けて外耳道入口での音圧信号を測定するイヤチップマイクとそのアタッチメント（装着具）に関する。
【背景技術】
【０００２】
ステレオイヤホン受聴において正確な音像定位を実現し、臨場感のある音場再生を行うためには、音源から両耳の外耳道入口までの頭部伝達関数を測定し、音圧特性を補償する必要がある。
頭部伝達関数は、受聴者の頭部形状、耳介形状、外耳道形状などに依存し、個人差があるので各人の両耳の外耳道入口に超小型マイクを設置して外耳道入口での音圧信号を測定する必要がある。
【０００３】
そのため従来は超小型マイクを外耳道入口付近に挿入し、マイク位置が動かないようにマイクのリード線をテープで耳介の後部の耳たぶの下に固定して設置していた。
この場合、マイクがリード線による片持ち支持のみで固定されるため、マイク位置が不安定になると共に、イヤホン装着時にはリード線を圧迫してマイク位置が移動しないよう慎重に装着する必要があり、イヤホンの装着が面倒であった。
また、マイク位置が見ずらい上、鏡や照明などの道具を必要とするので、被験者毎に異なる外耳道入口の正確な位置にマイクが設置されたかどうかの目視確認が困難であった。
【０００４】
マイク位置が不安定にならないようしっかり固定するため、非特許文献１にはプローブチューブ式マイクをイヤモールドに挿入してマイクを設置する例が示されている。
しかしながらオーダーメイド耳栓であるイヤモールドは、被験者１人ひとりの耳型を採取して金型を作り、成形する必要がある。金型製作には多大な労力と費用がかかり、時間もかかるので容易ではない。
【先行技術文献】
【非特許文献】
【０００５】
【非特許文献１】F.Wightman,D.Kistler, “Headphone simulation of free-field listening.I:Stimulus synthesis”, J.Acoust.Soc.Am.85(2),February 1989
【考案の概要】
【考案が解決しようとする課題】
【０００６】
解決しようとする問題点は以上のような点であり、本考案は、測定用の超小型マイクを外耳道入口の所定の位置に簡単かつ確実に設置できるようにすることを目的になされたものである。
【課題を解決するための手段】
【０００７】
そのため本考案は、挿入端をドーム状に隆起形成した中空ドーム形状のイヤチップの内側に超小型マイクを取り付けたイヤチップマイクを用いてマイクを設置する。
上記イヤチップマイクの装着に用いるアタッチメントを棒状のスティックと中空ドーム形状のコネクタで構成し、スティックの先端にコネクタを一体に取り付け、このコネクタをイヤチップマイクの内側に差し込んで遊嵌保持し、遊嵌保持したイヤチップマイクを耳孔内に挿入した後、スティックを引き抜いてイヤチップマイクとアタッチメントを分離し、これよりイヤチップマイクを耳孔に装着する。
【考案の効果】
【０００８】
本考案は、中空ドーム形状のイヤチップの内側に超小型マイクを取り付けたイヤチップマイクを用いてマイクを設置するので、マイク位置がしっかり固定されると共に、確実に外耳道入口の正確な位置にマイクを設置できる。また、市販のイヤチップを利用すれば、短時間で安く、簡単にイヤチップマイクを製作できる。
また、本考案のアタッチメントを用いることで、イヤチップマイクを指やピンセットで摘んで装着する場合に比べ、耳掻きと同じ要領で片手で簡単に装着できる。
【図面の簡単な説明】
【０００９】
【図１】本考案を実施したイヤチップマイクとアタッチメントの分解斜視図である。
【図２】アタッチメントに保持したイヤチップマイクの斜視図である。
【図３】アタッチメントに保持して耳孔に挿入するイヤチップマイクの斜視図である。
【図４】耳孔に挿入したイヤチップマイクの斜視図である。
【考案を実施するための形態】
【００１０】
以下、本考案の実施の形態について説明する。
【００１１】
図１に、本考案を実施したイヤチップマイクとアタッチメントの分解斜視図を示す。
イヤチップマイクは、挿入端をドーム状に隆起形成した中空ドーム形状のイヤチップ１と、イヤチップ１中空ドーム内側に取り付けた超小型マイク２と、超小型マイク２に接続したリード線３で構成し、イヤチップ１中空ドームの天井部を開口してベント（通気孔）ａを設け、これより挿入端を開放（オープンエア）して装着時の密閉感を減らし、自然の聴こえに近づける。
【００１２】
イヤチップ１は、さまざまなかたちや輪郭を持つ不特定多数の受聴者の耳孔ｂにぴったりフィットさせるため、人間の皮膚の柔らかさに近く、柔軟性と密着性に優れたシリコンゴムで形成するとともに、例えばＳ、Ｍ、Ｌなどの複数サイズを用意して適正なサイズを任意に選択できるようにする。また、シリコンゴムにすることで中性洗剤などによる洗浄を可能にし、繰り返し使用できるようにする。
超小型マイク２は、イヤチップ１中空ドームの内側凹面に、収音面をドーム内に向けて接着剤などを用いて固定する。
リード線３は、一端を超小型マイク２に接続してイヤチップ１中空ドーム内側から引き出し、他端を増幅器（不図示）に接続して収音したマイク出力信号を増幅する。
【００１３】
アタッチメントは、イヤチップ１と同じ中空ドーム形状のコネクタ４と、コネクタ４に結合するスティック５で構成し、コネクタ４中空ドームの頂点から内側に向けて植立した突起筒６の筒孔ｃにスティック５の先端部を挿入してコネクタ４とスティック５を一体化する。
コネクタ４は、イヤチップ１と同じシリコンゴムで形成することでイヤチップ１に合体した際の密着性を高めることができる。
スティック５は、綿棒などの市販品を代用することで簡単に、安く、早く、作ることができる。
【００１４】
イヤチップマイクとアタッチメントは以上のような構成で、イヤチップマイクを耳孔ｂに装着する際は、まず、図２に示すように、イヤチップ１とコネクタ４をスティック５で串刺し保持する。このときイヤチップ１中空ドームの内側凹面にコネクタ４中空ドームの外側凸面を差し込んでイヤチップ１にコネクタ４を遊嵌する。
次に、図３に示すように、スティック５を把持してコネクタ４を介してスティック５の先端に遊嵌保持したイヤチップ１を耳孔ｂに当て、位置を確認したらイヤチップ１を耳孔ｂ内に押し込む。
次に、図４に示すように、イヤチップ１に遊嵌するコネクタ４と一体のスティック５をイヤチップ１から引き抜いてイヤチップマイクとアタッチメントを分離する。以上でイヤチップマイクだけが耳孔ｂ内に残留し、イヤチップマイクの耳孔ｂへの装着が完了する。
耳孔ｂに装着したイヤチップマイクはピンセットなどを用いて取り外すことができる。
【符号の説明】
【００１５】
１      イヤチップ
２      超小型マイク
３      リード線
４      コネクタ
５      スティック
６      突起筒
ａ      ベント
ｂ      耳孔
ｃ      筒孔
【図１】
0003155238.tif 000003
【図２】
0003155238.tif 000004
【図３】
0003155238.tif 000005
【図４】
0003155238.tif 000006
【手続補正書】
【提出日】平成21年9月1日(2009.9.1)
【手続補正１】
【補正対象書類名】実用新案登録請求の範囲
【補正対象項目名】全文
【補正方法】変更
【補正の内容】
【実用新案登録請求の範囲】
【請求項１】
挿入端をドーム状に隆起形成した中空ドーム形状のイヤチップの内側に超小型マイクを取り付けたことを特徴とするイヤチップマイク。
【請求項２】
前記超小型マイクが収音面をドーム内に向けて取り付けたものであることを特徴とする請求項1記載のイヤチップマイク。
【請求項３】
前記イヤチップが中空ドームの天井部を開口するベント付きイヤチップであることを特徴とする請求項1記載のイヤチップマイク。
【請求項４】
前記イヤチップがシリコンゴムで作成されたものであることを特徴とする請求項1記載のイヤチップマイク。
【請求項５】
請求項１〜４のいずれか一項に記載のイヤチップマイクの装着に用いるアタッチメントであって、
棒状のスティックと中空ドーム形状のコネクタで構成し、
スティックの先端にコネクタを一体に取り付け、
このコネクタをイヤチップマイクの内側に差し込んで遊嵌保持し、
遊嵌保持したイヤチップマイクを耳孔内に挿入した後、
スティックを引き抜いてイヤチップマイクとアタッチメントを分離し、
これよりイヤチップマイクを耳孔に装着することを特徴とするアタッチメント。
【請求項６】
前記コネクタがシリコンゴムで作成されたものであることを特徴とする請求項５記載のアタッチメント。